(57)【要約】本発明は、ネットワークを構成する複数の伝送装置を複数の網管理端末で監視し各伝送装置におけるクロスコネクトを制御するシステムで、前記クロスコネクトを保護するクロスコネクト保護方法であって、前記網管理端末から任意の伝送装置で接続されているクロスコネクトのロック及びアンロックを指示し、前記伝送装置で指示された接続されているクロスコネクトのロック及びアンロックを制御するよう構成することで、試験を行う場合、実際の運用で接続されているクロスコネクトをロックしたのち、試験のために被試験伝送装置のクロスコネクトの接続／解除を行い、試験後アンロックを行うことにより、実際に運用されている信号を誤って切断してしまうことを防止できる。
2001091373.tif 000002
【特許請求の範囲】
【請求項１】
ネットワークを構成する複数の伝送装置を複数の網管理端末で監視し各伝送装置におけるクロスコネクトを制御するシステムで、前記クロスコネクトを保護するクロスコネクト保護方法であって、
前記網管理端末から任意の伝送装置で接続されているクロスコネクトのロック及びアンロックを指示し、
前記伝送装置で指示された接続されているクロスコネクトのロック及びアンロックを制御するクロスコネクト保護方法。
【請求項２】
ネットワークを構成する複数の伝送装置を複数の網管理端末で監視し各伝送装置におけるクロスコネクトを制御するシステムで、前記クロスコネクトを保護するクロスコネクト保護方法であって、
前記網管理端末から任意の伝送装置におけるクロスコネクトの接続または解除の指示にプライオリティを付加し、
前記伝送装置で接続指示のときは付加されたプライオリティと共にクロスコネクトを接続し、解除指示のときは付加されたプライオリティが接続されているクロスコネクトのプライオリティ以上のときにのみ解除を行うクロスコネクト保護方法。
【請求項３】
ネットワークを構成する複数の伝送装置を複数の網管理端末で監視し各伝送装置におけるクロスコネクトを制御するシステムで、前記クロスコネクトを保護するクロスコネクト保護方法であって、
前記網管理端末から任意の伝送装置におけるクロスコネクトの接続または解除の指示にキーワードを付加し、
前記伝送装置で接続指示のときは付加されたキーワードと共にクロスコネクトを接続し、解除指示のときは付加されたキーワードが接続されているクロスコネクトのキーワードと一致するときにのみ解除を行うクロスコネクト保護方法。
【請求項４】
ネットワークを構成する複数の伝送装置を複数の網管理端末で監視し各伝送装置におけるクロスコネクトを制御するシステムで、前記クロスコネクトを保護するクロスコネクト保護方法であって、
前記網管理端末から任意の伝送装置におけるクロスコネクトの接続または解除の指示にユーザネーム及びパスワードを付加し、
前記伝送装置で接続指示のときは付加されたユーザネーム及びパスワードと共にクロスコネクトを接続し、解除指示のときは付加されたパスワードが接続されているクロスコネクトのパスワードと一致するときにのみ解除を行うクロスコネクト保護方法。
【請求項５】
ネットワークを構成する複数の伝送装置を複数の網管理端末で監視し各伝送装置におけるクロスコネクトを制御するシステムで、前記クロスコネクトを保護するクロスコネクト保護方法であって、
前記網管理端末から任意の伝送装置におけるクロスコネクトの接続の指示にコメントを付加し、
接続されているクロスコネクトにコメントを付加して表示するクロスコネクト保護方法。
【請求項６】
ネットワークを構成する複数の伝送装置を複数の網管理端末で監視し各伝送装置におけるクロスコネクトを制御するシステムの網管理端末であって、
任意の伝送装置で接続されているクロスコネクトのロック及びアンロックを指示するコマンドを生成して前記伝送装置に送出するロック／アンロック指示手段を有する網管理端末。
【請求項７】
ネットワークを構成する複数の伝送装置を複数の網管理端末で監視し各伝送装置におけるクロスコネクトを制御するシステムの伝送装置であって、
前記網管理端末から接続されているクロスコネクトのロック及びアンロックを指示するコマンドを受信して、指示されたクロスコネクトに対する接続の解除を禁止するロック、及び前記接続の解除を行うアンロックを行うロック／アンロック制御手段を有する伝送装置。
【請求項８】
ネットワークを構成する複数の伝送装置を複数の網管理端末で監視し各伝送装置におけるクロスコネクトを制御するシステムの網管理端末であって、
任意の伝送装置におけるクロスコネクトの接続または解除を指示するコマンドにプライオリティを付加して前記伝送装置に送出するプライオリティ付加手段を有する網管理端末。
【請求項９】
ネットワークを構成する複数の伝送装置を複数の網管理端末で監視し各伝送装置におけるクロスコネクトを制御するシステムの伝送装置であって、
前記網管理端末からコマンドを受信して、接続指示のときは付加されたプライオリティと共にクロスコネクトを接続し、解除指示のときは付加されたプライオリティが接続されているクロスコネクトのプライオリティ以上のときにのみ解除を行うクロスコネクト接続解除手段を有する伝送装置。
【請求項１０】
ネットワークを構成する複数の伝送装置を複数の網管理端末で監視し各伝送装置におけるクロスコネクトを制御するシステムの網管理端末であって、
任意の伝送装置におけるクロスコネクトの接続または解除を指示するコマンドにキーワードを付加して前記伝送装置に送出するキーワード付加手段を有する網管理端末。
【請求項１１】
ネットワークを構成する複数の伝送装置を複数の網管理端末で監視し各伝送装置におけるクロスコネクトを制御するシステムの伝送装置であって、
前記網管理端末からコマンドを受信して、接続指示のときは付加されたキーワードと共にクロスコネクトを接続し、解除指示のときは付加されたキーワードが接続されているクロスコネクトのキーワードと一致するときにのみ解除を行うクロスコネクト接続解除手段を有する伝送装置。
【請求項１２】
ネットワークを構成する複数の伝送装置を複数の網管理端末で監視し各伝送装置におけるクロスコネクトを制御するシステムの網管理端末であって、
任意の伝送装置におけるクロスコネクトの接続または解除を指示するコマンドにユーザネーム及びパスワードを付加して前記伝送装置に送出するパスワード付加手段を有する網管理端末。
【請求項１３】
ネットワークを構成する複数の伝送装置を複数の網管理端末で監視し各伝送装置におけるクロスコネクトを制御するシステムの伝送装置であって、
前記網管理端末からコマンドを受信して、接続指示のときは付加されたユーザネーム及びパスワードと共にクロスコネクトを接続し、解除指示のときは付加されたパスワードが接続されているクロスコネクトのパスワードと一致するときにのみ解除を行うクロスコネクト接続解除手段を有する伝送装置。
【請求項１４】
ネットワークを構成する複数の伝送装置を複数の網管理端末で監視し各伝送装置におけるクロスコネクトを制御するシステムの網管理端末であって、
任意の伝送装置におけるクロスコネクトの接続の指示にコメントを付加するコメント付加手段と、
接続されているクロスコネクトにコメントを付加して表示するコメント表示手段を有する網管理端末。
【請求項１４】
請求項１記載のクロスコネクト保護方法において、
前記複数の網管理端末のうち特定の網管理端末で前記ロック及びアンロックを指示するクロスコネクト保護方法。
【請求項１５】
請求項１記載のクロスコネクト保護方法において、
前記網管理端末から任意の伝送装置で接続されているクロスコネクトのロック及びアンロックを指示する操作を、特定の網管理端末ユーザＩＤに対してだけ許可するクロスコネクト保護方法。
【請求項１６】
請求項２記載のクロスコネクト保護方法において、
前記プライオリティは、網管理端末毎に予め決められているクロスコネクト保護方法。
【請求項１７】
請求項２記載のクロスコネクト保護方法において、
前記プライオリティは、網管理端末ユーザＩＤ毎に予め決められているクロスコネクト保護方法。
【請求項１８】
請求項６記載の網管理端末において、
任意の伝送装置でロックされているクロスコネクトをアンロックされているクロスコネクトと異ならせて表示する表示手段を有する網管理端末。
【請求項１９】
請求項７記載の伝送装置において、
前記網管理端末から接続確認のコマンドを受信したとき、接続されているクロスコネクトに対しロック／アンロックを付加したレスポンスを返送するレスポンス返送手段を有する伝送装置。
【発明の詳細な説明】
技術分野
本発明は、クロスコネクト保護方法及びその網管理端末及び伝送装置に関し、特に、ネットワークにおけるクロスコネクトの制御及び管理を行う管理端末が複数接続されているネットワークでのクロスコネクト保護方法及びその網管理端末及び伝送装置に関する。
背景技術
従来から、複数の伝送装置（ＮＥ：Ｎｅｔｗｏｒｋ　Ｅｌｅｍｅｎｔ）から構成されるネットワークに、網管理システム（ＮＭＳ：Ｎｅｔｗｏｒｋ　Ｍａｎａｇｅｍｅｎｔ　Ｓｙｓｔｅｍ）の端末（以下、網管理端末と呼ぶ）を接続してクロスコネクトの制御及び管理を行うことが行われている。
図１は、ＮＭＳを説明するためのシステム構成図を示す。同図中、交換機や伝送装置等の複数の伝送装置１０ａ〜１０ｅが接続されて電気通信網等のネットワーク１２が構成されている。各伝送装置１０ａ〜１０ｅそれぞれは電気通信管理網（ＴＭＮ）等のデータ通信網１４に接続され、このデータ通信網１４に網管理端末１６ａ〜１６ｃ及び網管理端末の一種としての保守端末１８等が接続されている。
図２は、ＮＭＳを有するネットワークの一例のシステム構成図を示す。同図中、例えば伝送速度２．５Ｇｂｐｓの高速の光伝送装置である伝送装置２０ａ〜２０ｄは光ファイバ伝送路２１ａ〜２１ｄによってリング状に接続されており、また、伝送装置２０ｂには伝送速度６００Ｍｂｐｓの中速の光伝送装置２０ｆが光ファイバ伝送路２１ｅによって接続され、伝送装置２０ｃには伝送速度１５０Ｍｂｐｓの低速の光伝送装置２０ｇが光ファイバ伝送路２１ｆによって接続されて、ネットワークを構成している。ここで、伝送速度２．５ＧｂｐｓはＩＴＵ−Ｔ勧告における１４０ＭｂｐｓのＶＣ４（Ｖｉｒｔｕａｌ　Ｃｏｎｔａｉｎｅｒ　４）信号が１６個通るだけの容量を持ち、６００ＭｂｐｓはＶＣ４信号が４個通し、１５０ＭｂｐｓはＶＣ４信号が１個通すので、各伝送装置２０ａ〜２０ｄそれぞれはＶＣ４信号のパスを形成するためのクロスコネクトを接続する。
例えば伝送装置２０ａは大阪に設置され、伝送装置２０ｃは東京に設置されており、大阪の伝送装置２０ａには保守端末２２と網管理端末（ＮＭＳ＃１）２４が接続され、東京の伝送装置２０ｃには網管理端末（ＮＭＳ＃２）２６が接続され、更に網管理端末２６に網管理端末（ＮＭＳ＃３）２８が接続されている。この場合、網管理端末２８は網管理端末２６のデータベースを参照して動作を行う。この他にも、例えば図３０に示すように、伝送装置２０ａ〜２０ｄがリング状に接続され、伝送装置２０ｇ〜２０ｊがリング状に接続され、伝送装置２０ｃ，２０ｇ間が接続されたネットワークにおいて、伝送装置２０ｂ，２０ｉそれぞれに網管理端末２４，２５が接続され、網管理端末２４，２５に網管理端末２７が接続されている場合には、網管理端末２７は網管理端末２４，２５の情報（アラーム情報やクロスコネクト情報）をまとめて管理し、網管理端末２７から網管理端末２４，２５に対してコマンド送出の命令を出す。
図２において、保守端末２２は保守を行おうとする目の前の伝送装置に接続して、その伝送装置に対してのみクロスコネクトを行うことができる。これに対して、網管理端末は自装置が接続されている伝送装置に限らず、ネットワークの任意のポイントから別の任意のポイントまでのパスを複数の伝送装置にまたがって形成することができる。例えば、網管理端末２４，２６，２８は５つの伝送装置２０ｆ，２０ｂ，２０ｃ，２０ｇにまたがってＶＣ４信号のパスを形成することができ、この際、網管理端末２４，２６，２８で各伝送装置２０ｆ，２０ｂ，２０ｃ，２０ｇそれぞれにおけるクロスコネクトの接続を行うことになる。
従来は、伝送装置を操作するとき網管理端末または保守端末に入力するＮＥユーザＩＤが所定のセキュリティレベル以上であり、かつ、ＮＭＳユーザＩＤがクロスコネクト機能を操作する権限を持っていれば、どの網管理端末または保守端末からでも任意の伝送装置のクロスコネクトの接続／解除を設定することができる。
このため、実際の運用と並行して、伝送装置の動作チェックや通信エラーチェック等の試験を行う場合、任意の網管理端末から被試験伝送装置のクロスコネクトの接続／解除を設定したときに、実際に運用されている信号を誤って切断してしまうおそれがあるという問題があった。
発明の開示
本発明は、実際の運用と並行して伝送装置の試験を行う場合、クロスコネクトの接続／解除を設定したときに、実際に運用されている信号を誤って切断することを防止するクロスコネクト保護方法及びその網管理端末及び伝送装置の提供を総括的な目的とする。
この目的を達成するため、本発明は、ネットワークを構成する複数の伝送装置を複数の網管理端末で監視し各伝送装置におけるクロスコネクトを制御するシステムで、前記クロスコネクトを保護するクロスコネクト保護方法であって、前記網管理端末から任意の伝送装置で接続されているクロスコネクトのロック及びアンロックを指示し、前記伝送装置で指示された接続されているクロスコネクトのロック及びアンロックを制御するよう構成される。
このようなクロスコネクト保護方法によれば、試験を行う場合、実際の運用で接続されているクロスコネクトをロックしたのち、試験のために被試験伝送装置のクロスコネクトの接続／解除を行い、試験後アンロックを行うことにより、実際に運用されている信号を誤って切断してしまうことを防止できる。
発明を実施するための最良の形態
以下、本発明の実施例を図面に基づいて説明する。
図３は、本発明方法を適用した網管理端末の一実施例の機能ブロック図を示す。同図中、インタフェース部３０は伝送路を介して伝送装置に接続される。コマンド送出部３２はインタフェース部３０を通して伝送装置にコマンドを送出する。レスポンス受信部３４はインタフェース部３０を介して伝送装置が送出したレスポンスを受信し、各種機能部３６を通して制御機能部３８に供給する。各種機能部３６には、プライオリティ機能部３６ａ、キーワード機能部３６ｂ、パスワード機能部３６ｃ、コメント機能部３６ｄが設けられており、各種機能部３６は制御機能部３８と接続されている。また、ＮＭＳインタフェース部３１は信号路を介して他の網管理端末に接続され、網管理端末内では制御機能部３８と接続されている。
制御機能部３８にはデータベース（ＤＢ）４０と、ＧＵＩ（Ｇｕｒａｐｈｉｃａｌ　Ｕｓｅｒ　Ｉｎｔｅｒｆａｃｅ）機能部４２が接続されている。ＧＵＩ機能部４２は選択した伝送装置の信号の接続状態をディスプレイ表示し、このディスプレイ表示におけるクリック入力を反映してディスプレイ表示を変化させ、また、クリック入力を制御機能部３８に通知する。なお、伝送装置の選択も図２のようなディスプレイ表示を行って、所望の伝送装置をクリックすることにより行う。
制御機能部３８は網管理端末全体の制御を行い、制御機能部３８は上記クリック入力に応じてクロスコネクトコマンド、ディスクロスコネクトコマンド、ロックコマンド、アンロックコマンド等を生成し、各種機能部３６を通して、コマンド生成部３２から制御対象の伝送装置に供給する。データベース４０には、各伝送装置の接続状態の情報の他に、プライオリティ情報、キーワード情報、パスワード情報、コメント情報等が登録される。
プライオリティ機能部３６ａは、クロスコネクトに付加するプライオリティの管理を行い、キーワード機能部３６ｂは、クロスコネクトに付加するキーワードの管理を行う。パスワード機能部３６ｃクロスコネクトに付加するユーザネーム及びパスワードの管理を行い、コメント機能部３６ｄクロスコネクトにを付加するキーワードの管理を行う。なお、保守端末も網管理端末の一種であり、図３に示す網管理端末とほぼ同一構成である。
図４は、本発明方法を適用した伝送装置の一実施例の機能ブロック図を示す。同図中、インタフェース部５０は伝送路を介して網管理端末に接続される。コマンド送出部５２はインタフェース部５０を通して網管理端末に対しレスポンスを送出する。レスポンス受信部５４はインタフェース部５０を介して網管理端末が送出したコマンドを受信し、各種機能部５６に供給する。各種機能部５６には、プライオリティ機能部５６ａ、キーワード機能部５６ｂ、パスワード機能部５６ｃ、コメント機能部５６ｄが設けられており、各種機能部５６は制御機能部５８と接続されている。
制御機能部５８には（ＤＢ）６０と、クロスコネクト部６２が接続されている。クロスコネクト部６２は制御機能部５８の制御に従ってクロスコネクトの接続を行う。制御機能部５８は伝送装置全体の制御を行い、制御機能部５８は受信したクロスコネクトコマンド、ディスクロスコネクトコマンド、ロックコマンド、アンロックコマンド等に従ってクロスコネクト部６２を制御し、その制御結果を各種機能部５６を通して、レスポンス送出部５２から網管理端末に送出する。データベース６０には、クロスコネクト部６２の接続状態の情報の他に、プライオリティ情報、キーワード情報、パスワード情報、コメント情報等が登録される。プライオリティ機能部５６ａは、クロスコネクトに付加するプライオリティの管理を行い、キーワード機能部５６ｂは、クロスコネクトに付加するキーワードの管理を行う。パスワード機能部５６ｃクロスコネクトに付加するユーザネーム及びパスワードの管理を行い、コメント機能部５６ｄクロスコネクトにを付加するキーワードの管理を行う。
図５は、網管理端末のＧＵＩ機能部４２が行うディスプレイ表示の第１実施例を示す。同図中、ボックス７０ａ〜７０ｈ，７２ａ〜７２ｊ，７４ａ〜７４ｈそれぞれは、例えば伝送速度２ＭｂｐｓのＶＣ１２信号ポートを表している。ここに表示されている網管理端末が図２に示す網管理端末２０ｂに対応するものである場合、ボックス７０ａ〜７０ｈは、光ファイバ伝送路２１ａを伝送される信号に対応し、ボックス７２ａ〜７２ｊは、光ファイバ伝送路２１ｅを伝送される信号に対応し、ボックス７４ａ〜７４ｈは、光ファイバ伝送路２１ｂを伝送される信号に対応する。
ここでは、ボタン７６，７７，７８のうちボタン７８をクリックすることにより、ＶＣ１２信号を表示しているが、ボタン７６をクリックするとＶＣ４信号のボックスが表示され、ボタン７７をクリックすると２ＭｂｐｓのＶＣ３信号のボックスが表示される。
ＧＵＩ機能部４２は、コネクトボタン８０，ディスコネクトボタン８１，ロックボタン８２，アンロックボタン８３，接続確認ボタン８４をディスプレイ表示している。
ここで、コネクトボタン８０をクリックすると、選択可能なボックスが表示され、選択可能なボックスのうちのボックス７０ｄ，７２ｄをクリックして選択すると、光ファイバ伝送路２１ａのボックス７０ｄのＶＣ１２信号ポート（１−１−１−２−１）と、光ファイバ伝送路２１ｅのボックス７２ｄのＶＣ１２信号ポート（３−１−１−２−１）とのクロスコネクトが選択され、これが破線で表示される。
これにより、網管理端末２０ｂの制御機能部３８は伝送装置２０ｂにクロスコネクトコマンドを送出し、伝送装置２０ｂでボックス７０ｄのＶＣ１２信号ポート（１−１−１−２−１）とボックス７２ｄのＶＣ１２信号ポート（３−１−１−２−１）とのクロスコネクトの接続が実行される。伝送装置２０ｂからそのレスポンスが受信されると、このレスポンスが制御機能部３８からＧＵＩ機能部４２に通知され、これによって、上記破線がボックス７０ａ，７２ａを結ぶ線と同様に、実線に変化して表示される。また、このボックス７０ａ，７２ａ間のクロスコネクトの情報はデータベース６０に登録される。
また、ディスコネクトボタン８１をクリックすると、選択可能なボックスが表示され、選択可能なボックスのうちのボックス７０ａ，７２ａをクリックして選択すると、制御機能部３８は伝送装置２０ｂにディスコネクトコマンドを送出し、伝送装置２０ｂでボックス７０ａ，７２ａ間のディスコネクトが実行される。伝送装置２０ｂからそのレスポンスが受信されると、このレスポンスが制御機能部３８からＧＵＩ機能部４２に通知され、これによって、上記破線が消去される。また、接続確認ボタン８４をクリックして選択すると、クロスコネクトが接続されている信号ポートが表示される。
ここで、伝送装置ユーザＩＤがＦＵＪＩＴＵであるとき、信号ポート（１−１−１−２−１）と、信号ポート（３−１−１−２−１）とのクロスコネクトを接続するコマンドは、例えば次のようになる。
ＥＮＴ−ＶＣ１２：ＦＵＪＩＴＳＵ：１−１−１−２−１，３−１−１−２−１：ＣＡＴＧ：：：；
このクロスコネクトをロックするコマンドは、次のようになる。
ＬＯＣＫ−ＶＣ１２：ＦＵＪＩＴＳＵ：１−１−１−２−１，３−１−１−２−１：ＣＡＴＧ：：：；
このクロスコネクトをアンロックするコマンドは、次のようになる。
ＵＮＬＯＣＫ−ＶＣ１２：ＦＵＪＩＴＳＵ：１−１−１−２−１，３−１−１−２−１：ＣＡＴＧ：：：；
このクロスコネクトの接続を解除するコマンドは、次のようになる。
ＤＬＴ−ＶＣ１２：ＦＵＪＩＴＳＵ：１−１−１−２−１，３−１−１−２−１：ＣＡＴＧ：：：；
また、ロックされたクロスコネクトがある状態にて出した接続確認のコマンド及びそのレスポンスは、例えば次のようになる。
ＲＴＲＶ−ＣＲＳ−ＶＣ１２：ＦＵＪＩＴＳＵ：，：ＣＡＴＧ：：：；
”１−１−１−２−１，３−１−１−２−１：：：；”
”１−１−１−２−３，３−１−１−２−１：：：ＬＯＣＫＥＤ；”
”１−１−１−２−１，５−１−１−３−１：：：ＬＯＣＫＥＤ；”
図６はクロスコネクトをロックするとき網管理端末が実行する処理の一実施例のフローチャートを示す。同図中、ステップＳ１０でロックボタン８２をクリックすると、制御機能部３８はステップＳ１１でクロスコネクトされている信号ポートのボックスのみを選択可能とする。次に、ステップＳ１２で選択可能とされたクロスコネクトされているボックス７０ａ，７２ａのいずれかをクリックして選択すると、制御機能部３８はステップＳ１３で選択されたボックスのクロスコネクトの表示（破線）を例えば色を変えて別表示とする。次に、ステップＳ１４でロックボタン８２をクリックすると、制御機能部３８はステップＳ１５で伝送装置２０ｂにロックコマンドを送出し、伝送装置２０ｂでボックス７０ａ，７２ａ間のクロスコネクトのロックが実行される。
伝送装置２０ｂからそのレスポンスが受信されると、このレスポンスが制御機能部３８からＧＵＩ機能部４２に通知され、これによって、ＧＵＩ機能部４２は上記破線を、ボックス７０ｆ，７２ｄまたはボックス７０ｇ，７２ｇを結ぶ線と同様に太い実線に変化して表示する。このボックス７０ａ，７２ａ間のロックの情報はデータベース６０に登録される。
図７はアンロックするとき網管理端末が実行する処理の一実施例のフローチャートを示す。同図中、ステップＳ２０でアンロックボタン８３をクリックすると、制御機能部３８はステップＳ２１でロックされている信号ポートのボックスのみを選択可能とする。次に、ステップＳ２２で選択可能とされたロックされているボックス７０ｆ，７２ｄのいずれかをクリックして選択すると、制御機能部３８はステップＳ２３で選択されたボックスのロックの表示（太い実線）を例えば色を変えて別表示とする。次に、ステップＳ２４でアンロックボタン８３をクリックすると、制御機能部３８はステップＳ２５で伝送装置２０ｂにアンロックコマンドを送出し、伝送装置２０ｂでボックス７０ｆ，７２ｄ間のクロスコネクトのアンロックが実行される。
伝送装置２０ｂからそのレスポンスが受信されると、このレスポンスが制御機能部３８からＧＵＩ機能部４２に通知され、これによって、ＧＵＩ機能部４２は上記太い実線を、通常の実線に変化して表示する。このボックス７０ｆ，７２ｄ間のアンロックの情報はデータベース６０に登録される。
図８は、ロックコマンド受信時に伝送装置が実行する処理の一実施例のフローチャートを示す。同図中、ロックコマンドを受信したとき、制御機能部５８はステップＳ３１でコマンドで指定された信号ポートにクロスコネクトが接続されているか否かを判別する。この判別はデータベース６０に登録されているクロスコネクト情報を検索して行う。クロスコネクトが接続されていなければステップＳ３２で否認メッセージを作成し、各種機能部５６及びレスポンス送出部５２を通して網管理端末にレスポンスとして返送する。
クロスコネクトが接続されていれば、ステップＳ３３でコマンドで指定されたクロスコネクトがロックされているか否かを判別する。この判別はデータベース６０に登録されているロック情報を検索して行う。ロックされていればステップＳ３４で既にロックされているというメッセージを作成し、各種機能部５６及びレスポンス送出部５２を通して網管理端末にレスポンスとして返送する。ロックされていなければステップＳ３５で正常のメッセージを作成して網管理端末にレスポンスとして返送すると共に、コマンドで指定されたクロスコネクトをロックし、そのロック情報をデータベース６０に登録する。
図９は、アンロックコマンド受信時に伝送装置が実行する処理の一実施例のフローチャートを示す。同図中、アンロックコマンドを受信したとき、制御機能部５８はステップＳ４１でコマンドで指定された信号ポートにクロスコネクトが接続されているか否かを判別する。この判別はデータベース６０に登録されているクロスコネクト情報を検索して行う。クロスコネクトが接続されていなければステップＳ４２で否認メッセージを作成し、各種機能部５６及びレスポンス送出部５２を通して網管理端末にレスポンスとして返送する。
クロスコネクトが接続されていれば、ステップＳ４３でコマンドで指定されたクロスコネクトがロックされているか否かを判別する。この判別はデータベース６０に登録されているロック情報を検索して行う。ロックされていなければステップＳ４４でロックされていないというメッセージを作成し、各種機能部５６及びレスポンス送出部５２を通して網管理端末にレスポンスとして返送する。ロックされていればステップＳ４５で正常のメッセージを作成して網管理端末にレスポンスとして返送すると共に、コマンドで指定されたクロスコネクトをアンロックし、その情報をデータベース６０に登録する。
このように、網管理端末に接続されているクロスコネクトのロック／アンロックを行うロック機能を持たせることにより、実際の運用と並行して、伝送装置の動作チェックや通信エラーチェック等の試験を行う場合、実際の運用で接続されているクロスコネクトをロックしたのち、試験のために被試験伝送装置のクロスコネクトの接続／解除を設定することにより、実際に運用されている信号を誤って切断してしまうことを防止できる。
図１０は、ＮＭＳを有するネットワークの第１実施例のシステム構成図を示す。同図中、例えば伝送速度２．５Ｇｂｐｓの高速の光伝送装置である伝送装置２０ａ〜２０ｄは光ファイバ伝送路２１ａ〜２１ｄによってリング状に接続されており、また、伝送装置２０ｂには伝送速度６００Ｍｂｐｓの中速の光伝送装置２０ｆが光ファイバ伝送路２１ｅによって接続され、伝送装置２０ｃには伝送速度１５０Ｍｂｐｓの低速の光伝送装置２０ｇが光ファイバ伝送路２１ｆによって接続されて、ネットワークを構成している。例えば伝送装置２０ａは大阪に設置され、伝送装置２０ａは東京に設置されており、大阪の伝送装置２０ａには保守端末２２と網管理端末（ＮＭＳ＃１）２４が接続され、東京の伝送装置２０ｃには網管理端末（ＮＭＳ＃２）２６が接続され、更に網管理端末２６に網管理端末（ＮＭＳ＃３）２８が接続されている。
ここで、網管理端末２８にはロック機能が設けられ、図５に示すディスプレイ表示を行う。しかし、他の網管理端末２４，２６及び保守端末２２にはロック機能が設けられず、図５からロックボタン８２，アンロックボタン８３を除いた状態でディスプレイ表示を行う。
このように、網管理端末２８にのみロック機能を与えることで、他の網管理端末２４，２６及び保守端末２２との差別化を行うことができ、実際の運用と並行して、伝送装置の動作チェックや通信エラーチェック等の試験を行う場合、この網管理端末２８で実際の運用で接続されているクロスコネクトをロックしたのち、試験のために被試験伝送装置のクロスコネクトの接続／解除を行い、試験後に被試験伝送装置のクロスコネクトを元に戻してアンロックを行うことにより、実際に運用されている信号を誤って切断してしまうことを防止できる。
また、網管理端末２８にのみロック機能を与える代わりに、特定の網管理端末ユーザＩＤにのみロック機能を与える構成としても良い。この場合、網管理端末２４，２６，２８のいずれかにログインするとき、ＧＵＩ機能部４２のディスプレイ表示に、図１１に示すような網管理端末ユーザＩＤを入力するためのウインドウを出し、枠７０内に記入された網管理端末ユーザＩＤが特定の網管理端末ユーザＩＤと一致した場合にのみ、ロック機能を与える。
図１２は、網管理端末のＧＵＩ機能部４２が行うディスプレイ表示の第２実施例を示す。同図中、図５と同一部分には同一符号を付し、その説明を省略する。ここでは、ロックボタン８１，アンロックボタン８２は表示されない。図１２において、クロスコネクトのプライオリティレベルを選択するためのボタン８５ａ，８５ｂ，８５ｃを表示している。
ここで、ボックス７０ｄ，７２ｄをクリックすると、光ファイバ伝送路２１ａのボックス７０ｄのＶＣ１２信号ポート（１−１−１−２−１）と、光ファイバ伝送路２１ｅのボックス７２ｄのＶＣ１２信号ポート（３−１−１−２−１）とのクロスコネクトが選択され、これが破線で表示される。
この状態で、例えばボタン８５ｂをクリックしてプライオリティレベル３を選択し、コネクトボタン８０をクリックすると、網管理端末２０ｂの制御機能部３８は伝送装置２０ｂにクロスコネクトコマンドを送出し、伝送装置２０ｂでボックス７０ｄのＶＣ１２信号ポート（１−１−１−２−１）とボックス７２ｄのＶＣ１２信号ポート（３−１−１−２−１）とのクロスコネクトの接続がプライオリティレベル３で実行される。接続されたクロスコネクトを示す実線は、プライオリティレベルが高いほど太く表示され、この実線の近傍にレベルが表示される。
図１３は、図１２の表示でコネクトボタン８０を選択したとき網管理端末が実行する処理の一実施例のフローチャートを示す。同図中、ステップＳ５０でコネクトボタン８０をクリックすると、制御機能部３８はステップＳ５１で指定された信号ポートにクロスコネクトが接続されているか否かを判別する。この判別はデータベース４０に登録されているクロスコネクト情報を検索して行う。クロスコネクトが接続されていればステップＳ５２でＧＵＩ機能部４２に選択不可のポートであることをディスプレイ表示させる。
クロスコネクトが接続されていなければ、ステップＳ５３でＧＵＩ機能部４２に選択可能なポートであることを例えば色を異ならせてディスプレイ表示させる。ステップＳ５４で選択可能なポートを選択すると、ステップＳ５５で制御機能部３８は伝送装置にコネクトコマンドを送出する。このとき、クロスコネクトのクロスコネクト情報と共に、ボタン８５ａ〜８５ｃで指定されたプライオリティレベルをプライオリティ情報としてデータベース４０に登録する。
図１４は、図１２の表示でディスコネクトボタン８１を選択したとき網管理端末が実行する処理の一実施例のフローチャートを示す。同図中、ステップＳ６０でディスコネクトボタン８１をクリックすると、制御機能部３８はステップＳ６１で指定された信号ポートにクロスコネクトが接続されているか否かを判別する。この判別はデータベース４０に登録されているクロスコネクト情報を検索して行う。クロスコネクトが接続されていなければステップＳ６２でＧＵＩ機能部４２に選択不可のポートであることをディスプレイ表示させる。
クロスコネクトが接続されていれば、ステップＳ６３でデータベース４０からそのクロスコネクトのプライオリティレベルを読みだして、ディスコネクトボタン８１をクリックする前にボタン８５ａ〜８５ｃで指定されたプライオリティレベル（自クロスコネクトプライオリティ）と比較し、自クロスコネクトプライオリティが低いときはステップＳ６２でＧＵＩ機能部４２に選択不可のポートであることをディスプレイ表示させる。
自クロスコネクトプライオリティが高いときはステップＳ６４でＧＵＩ機能部４２に選択可能なポートであることを例えば色を異ならせてディスプレイ表示させる。ステップＳ６５で選択可能なポートを選択すると、ステップＳ６６で制御機能部３８は伝送装置にディスコネクトコマンドを送出する。
伝送装置ユーザＩＤがＦＵＪＩＴＵであるとき、信号ポート（１−１−１−２−１）と、信号ポート（３−１−１−２−１）とのクロスコネクトをプライオリティレベル３で接続するコマンドは、例えば次のようになる。
ＥＮＴ−ＶＣ１２：ＦＵＪＩＴＳＵ：１−１−１−２−１，３−１−１−２−１：ＣＡＴＧ：：３；
このクロスコネクトの接続を解除するコマンドは、次のようになる。
ＤＬＴ−ＶＣ１２：ＦＵＪＩＴＳＵ：１−１−１−２−１，３−１−１−２−１：ＣＡＴＧ：：３；
また、接続確認のコマンド及びそのレスポンスは、例えば次のようになる。
ＲＴＲＶ−ＣＲＳ−ＶＣ１２：ＦＵＪＩＴＳＵ：，：ＣＡＴＧ：：：；
”１−１−１−１−１，３−１−１−１−１：：１；”
”１−１−１−２−３，３−１−１−２−３：：３；”
図１５は、クロスコネクト接続コマンド受信時に伝送装置が実行する処理の一実施例のフローチャートを示す。同図中、ステップＳ７０でクロスコネクト接続コマンドを受信すると、制御機能部５８はステップＳ７１でコマンドで指定された信号ポートにクロスコネクトが接続されているか否かを判別する。この判別はデータベース６０に登録されているクロスコネクト情報を検索して行う。クロスコネクトが接続されていればステップＳ７２で接続不可メッセージを作成し、各種機能部５６及びレスポンス送出部５２を通して網管理端末にレスポンスとして返送する。
クロスコネクトが接続されていなければ、ステップＳ７３でコマンドで指定された信号ポート間のクロスコネクトを指定されたプライオリティレベルで接続し、クロスコネクト及びプライオリティレベル情報をデータベース６０に登録すると共に、正常のメッセージを作成して網管理端末にレスポンスとして返送する。なお、プライオリティレベル情報をデータベース６０に登録する等のプライオリティレベルの管理はプライオリティ機能５６ａが行う。
図１６は、クロスコネクト解除コマンド受信時に伝送装置が実行する処理の一実施例のフローチャートを示す。同図中、ステップＳ８０で解除コマンドを受信すると、制御機能部５８はステップＳ８１でコマンドで指定された信号ポートにクロスコネクトが接続されているか否かを判別する。この判別はデータベース６０に登録されているクロスコネクト情報を検索して行う。クロスコネクトが接続されていなければステップＳ８２で否認メッセージを作成し、各種機能部５６及びレスポンス送出部５２を通して網管理端末にレスポンスとして返送する。
クロスコネクトが接続されていれば、プライオリティ機能５６ａはステップＳ８３でそのクロスコネクトのプライオリティレベルが、コマンドで指定されたプライオリティレベル以下であるか否かを判別する。
クロスコネクトのプライオリティレベルはデータベース６０に登録されているプライオリティレベル情報を検索して行う。クロスコネクトのプライオリティレベルが、コマンドで指定されたプライオリティレベルより大きければステップＳ８４で否認メッセージを作成し、各種機能部５６及びレスポンス送出部５２を通して網管理端末にレスポンスとして返送する。クロスコネクトのプライオリティレベルがコマンドで指定されたプライオリティレベル以下であれば、プライオリティ機能５６ａはステップＳ８５でコマンドで指定されたクロスコネクトを解除し、その情報をデータベース６０に登録すると共に、正常のメッセージを作成して網管理端末にレスポンスとして返送する。
このように、クロスコネクトの接続／解除を行うコマンドにプライオリティを持たせることにより、実際の運用と並行して、伝送装置の動作チェックや通信エラーチェック等の試験を行う場合、実際の運用で接続されているクロスコネクトのプライオリティを高く設定しておき、試験のために被試験伝送装置のクロスコネクトの接続／解除を低いプライオリティで設定することにより、実際に運用されている信号を誤って切断してしまうことを防止できる。
図１７は、ＮＭＳを有するネットワークの第２実施例のシステム構成図を示す。同図中、図１０と同一部分には同一符号を付し、その説明を省略する。ここで、保守端末２２及び網管理端末２４，２６，２８それぞれに予めプライオリティレベルを持たせておく。ここでは、保守端末２２にプライオリティ＝１、網管理端末２４にプライオリティ＝３、網管理端末２６にプライオリティ＝４、網管理端末２８にプライオリティ＝５を設定する。そして、各網管理端末から伝送装置に送出するコマンドには、その網管理端末のプライオリティレベルを付加する。網管理端末におけるプライオリティの扱いは図１５、図１６に示すものと同一である。
このように、保守端末２２及び網管理端末２４，２６，２８それぞれに予めプライオリティレベルを持たせておくことにより、各端末の差別化を行うことができ、実際の運用と並行して、伝送装置の動作チェックや通信エラーチェック等の試験を行う場合、低いプライオリティレベルの端末では高いプライオリティレベルの網管理端末が接続したクロスコネクトの接続／解除の設定を変更することはできず、高いプライオリティレベルの網管理端末で全てのクロスコネクトの接続／解除の設定を変更することが可能となり、他の網管理端末で実際に運用されている信号を誤って切断してしまうことを防止できる。
また、各網管理端末２４，２６，２８及び保守端末２２に予めプライオリティレベルを持たせておく代わりに、網管理端末ユーザＩＤ毎にプライオリティレベルを与える構成としても良い。この場合、網管理端末２４，２６，２８のいずれかにログインするとき、ＧＵＩ機能部４２のディスプレイ表示に、図１１に示すような網管理端末ユーザＩＤを入力するためのウインドウを出し、枠９０内に記入された網管理端末ユーザＩＤに応じたプライオリティレベルを与える。
図１８は、網管理端末のＧＵＩ機能部４２が行うディスプレイ表示の第３実施例を示す。同図中、図１２と同一部分には同一符号を付し、その説明を省略する。図１８においては、キーワードを入力するためのウインドウ９２が表示され、ウインドウ９２内にはキーワード入力枠９４が設けられている。
当初、ウインドウ９２は表示されないが、ボックス７０ｄ，７２ｄをクリックすると、光ファイバ伝送路２１ａのボックス７０ｄのＶＣ１２信号ポート（１−１−１−２−１）と、光ファイバ伝送路２１ｅのボックス７２ｄのＶＣ１２信号ポート（３−１−１−２−１）とのクロスコネクトが選択され、これが破線で表示されると共に、ウインドウ９２が表示される。
この状態で、キーワード入力枠９４内にキーワードを入力し、コネクトボタン８０をクリックすると、網管理端末２０ｂの制御機能部３８は伝送装置２０ｂにクロスコネクトコマンドを送出し、伝送装置２０ｂでボックス７０ｄのＶＣ１２信号ポート（１−１−１−２−１）とボックス７２ｄのＶＣ１２信号ポート（３−１−１−２−１）とのクロスコネクトの接続が実行される。接続されたクロスコネクトを示す実線には、これを設定したときのキーワード表示ボックス９６ａ、９６ｂ，９６ｃが付加されて表示される。
図１９は、図１８の表示でコネクトボタン８０を選択したとき網管理端末が実行する処理の一実施例のフローチャートを示す。同図中、ステップＳ９０でコネクトボタン８０をクリックすると、制御機能部３８はステップＳ９１で指定された信号ポートにクロスコネクトが接続されているか否かを判別する。この判別はデータベース４０に登録されているクロスコネクト情報を検索して行う。クロスコネクトが接続されていればステップＳ９２でＧＵＩ機能部４２に選択不可のポートであることをディスプレイ表示させる。
クロスコネクトが接続されていなければ、ステップＳ９３でＧＵＩ機能部４２に選択可能なポートであることを例えば色を異ならせてディスプレイ表示させる。ステップＳ９４で選択可能なポートを選択すると、ステップＳ９５でキーワード機能部３６ｂはウインドウ９２を出現させ、ステップＳ９６でキーワード入力枠９４内にキーワードが入力された後、制御機能部３８は伝送装置にコネクトコマンドを送出する。このとき、クロスコネクトのクロスコネクト情報と共に、上記キーワードをデータベース４０に登録する。
図２０は、図１８の表示でディスコネクトボタン８１を選択したとき網管理端末が実行する処理の一実施例のフローチャートを示す。同図中、ステップＳ１００でディスコネクトボタン８１をクリックすると、制御機能部３８はステップＳ１０１で指定された信号ポートにクロスコネクトが接続されているか否かを判別する。この判別はデータベース４０に登録されているクロスコネクト情報を検索して行う。クロスコネクトが接続されていなければステップＳ１０２でＧＵＩ機能部４２に選択不可のポートであることをディスプレイ表示させる。
クロスコネクトが接続されていれば、ステップＳ１０３で選択可能なポートであることを例えば色を異ならせてディスプレイ表示させる。ステップＳ１０４で選択可能なポートを選択すると、ステップＳ１０５でキーワード機能部３６ｂはウインドウ９２を出現させ、ステップＳ１０６でキーワード入力枠９４内にキーワードが入力された後、制御機能部３８は伝送装置にディスコネクトコマンドを送出する。このとき、データベース４０の更新も行う。
伝送装置ユーザＩＤがＦＵＪＩＴＵであるとき、信号ポート（１−１−１−２−１）と、信号ポート（３−１−１−２−１）とのクロスコネクトをキーワード＝ＭＤ２７で接続するコマンドは、例えば次のようになる。
ＥＮＴ−ＶＣ１２：ＦＵＪＩＴＳＵ：１−１−１−２−１，３−１−１−２−１：ＣＡＴＧ：：ＭＤ２７；
このクロスコネクトの接続を解除するコマンドは、次のようになる。
ＤＬＴ−ＶＣ１２：ＦＵＪＩＴＳＵ：１−１−１−２−１，３−１−１−２−１：ＣＡＴＧ：：ＭＤ２７；
また、接続確認のコマンド及びそのレスポンスは、例えば次のようになる。接続確認のコマンドにキーワードは必要ない。
ＲＴＲＶ−ＣＲＳ−ＶＣ１２：ＦＵＪＩＴＳＵ：，：ＣＡＴＧ：：：；
”１−１−１−１−１，３−１−１−１−１：：ＫＥＹＷＯＲＤ＝ＭＤ２７；”
”１−１−１−３−１，３−１−１−３−１：：ＫＥＹＷＯＲＤ＝ＫＸ５５；”
図２１は、キーワードを付加したクロスコネクト接続コマンド受信時に伝送装置が実行する処理の一実施例のフローチャートを示す。同図中、ステップＳ１１０でクロスコネクト接続コマンドを受信すると、制御機能部５８はステップＳ１１１でコマンドで指定された信号ポートにクロスコネクトが接続されているか否かを判別する。この判別はデータベース６０に登録されているクロスコネクト情報を検索して行う。クロスコネクトが接続されていればステップＳ１１２で否認メッセージを作成し、各種機能部５６及びレスポンス送出部５２を通して網管理端末にレスポンスとして返送する。
クロスコネクトが接続されていなければ、ステップＳ１１３でコマンドで指定された信号ポート間のクロスコネクトを指定されたキーワードで接続し、クロスコネクト及びキーワード情報をデータベース６０に登録すると共に、正常のメッセージを作成して網管理端末にレスポンスとして返送する。なお、キーワード情報をデータベース６０に登録する等のキーワードの管理はキーワード機能５６ｂが行う。
図２２は、キーワードを付加したクロスコネクト解除コマンド受信時に伝送装置が実行する処理の一実施例のフローチャートを示す。同図中、ステップＳ１２０で解除コマンドを受信すると、制御機能部５８はステップＳ１２１でコマンドで指定された信号ポートにクロスコネクトが接続されているか否かを判別する。この判別はデータベース６０に登録されているクロスコネクト情報を検索して行う。クロスコネクトが接続されていなければステップＳ１２２で否認メッセージを作成し、各種機能部５６及びレスポンス送出部５２を通して網管理端末にレスポンスとして返送する。
クロスコネクトが接続されていれば、キーワード機能５６ｂはステップＳ１２３でそのクロスコネクトのキーワードが、コマンドで指定されたキーワードと一致するか否かを判別する。クロスコネクトのキーワードはデータベース６０に登録されているキーワード情報を検索して行う。
上記条件が不一致のときは、キーワード機能５６ｂはステップＳ１２４で否認メッセージを作成し、各種機能部５６及びレスポンス送出部５２を通して網管理端末にレスポンスとして返送する。一致のときは、キーワード機能５６ｂはステップＳ１２５でコマンドで指定されたクロスコネクトを解除し、その情報をデータベース６０に登録すると共に、正常のメッセージを作成して網管理端末にレスポンスとして返送する。
このように、クロスコネクトの接続／解除を行うコマンドにキーワードを持たせることにより、実際の運用と並行して、伝送装置の動作チェックや通信エラーチェック等の試験を行う場合、実際の運用で接続されているクロスコネクトの接続／解除を行うときのキーワードと、試験のために被試験伝送装置のクロスコネクトの接続／解除を行うときのキーワードとを異ならせることにより、試験時に実際に運用されている信号を誤って切断してしまうことを防止できる。
図２３は、ＮＭＳを有するネットワークの第３実施例のシステム構成図を示す。同図中、図１０と同一部分には同一符号を付し、その説明を省略する。ここで、保守端末２２及び網管理端末２４，２６，２８それぞれに予めキーワードを持たせておく。ここでは、保守端末２２のキーワードは空白、網管理端末２４にキーワード＝ＫＸ５５、網管理端末２６のキーワードは空白、網管理端末２８にキーワード＝ＭＤ２７を設定する。そして、各網管理端末から伝送装置に送出するコマンドには、その網管理端末のキーワードを付加する。網管理端末におけるキーワードの扱いは図１５、図１６に示すものと同一である。
このように、各網管理端末２４，２８に予めキーワードを持たせておくことにより、クロスコネクトを行う端末の特定化を行う。実際の運用と並行して、伝送装置の動作チェックや通信エラーチェック等の試験を行う場合、キーワードがＭＤ２７の網管理端末２８で試験のために被試験伝送装置のクロスコネクトの接続／解除を設定しようとすると、他の網管理端末２４で接続が設定されたクロスコネクトを網管理端末２８では解除することができず、実際に運用されている信号を誤って切断してしまうことを防止できる。
図２４は、網管理端末のＧＵＩ機能部４２が行うディスプレイ表示の第４実施例を示す。同図中、図１２と同一部分には同一符号を付し、その説明を省略する。図２４においては、ユーザネームとパスワードを入力するためのウインドウ１００が表示され、ウインドウ１００内にはユーザネーム入力枠１０１とパスワード入力枠１０２が設けられている。
当初、ウインドウ１００は表示されないが、ボックス７０ｄ，７２ｄをクリックすると、光ファイバ伝送路２１ａのボックス７０ｄのＶＣ１２信号ポート（１−１−１−２−１）と、光ファイバ伝送路２１ｅのボックス７２ｄのＶＣ１２信号ポート（３−１−１−２−１）とのクロスコネクトが選択され、これが破線で表示されると共に、ウインドウ１００が表示される。
この状態で、ユーザネーム入力枠１０１にユーザネームを入力し、パスワード入力枠１０２にパスワードを入力し、コネクトボタン８０をクリックすると、網管理端末２０ｂの制御機能部３８は伝送装置２０ｂにクロスコネクトコマンドを送出し、伝送装置２０ｂでボックス７０ｄのＶＣ１２信号ポート（１−１−１−２−１）とボックス７２ｄのＶＣ１２信号ポート（３−１−１−２−１）とのクロスコネクトの接続が実行される。接続されたクロスコネクトを示す実線には、これを設定したユーザのユーザネームを表示するユーザネーム表示ボックス１０４ａ、１０４ｂ，１０４ｃが付加されて表示される。
図２５は、図２４の表示でコネクトボタン８０を選択したとき網管理端末が実行する処理の一実施例のフローチャートを示す。同図中、ステップＳ１３０でコネクトボタン８０をクリックすると、制御機能部３８はステップＳ１３１で指定された信号ポートにクロスコネクトが接続されているか否かを判別する。この判別はデータベース４０に登録されているクロスコネクト情報を検索して行う。クロスコネクトが接続されていればステップＳ１３２でＧＵＩ機能部４２に選択不可のポートであることをディスプレイ表示させる。
クロスコネクトが接続されていなければ、ステップＳ１３３でＧＵＩ機能部４２に選択可能なポートであることを例えば色を異ならせてディスプレイ表示させる。ステップＳ１３４で選択可能なポートを選択すると、ステップＳ１３５でパスワード機能部３６ｃはウインドウ１００を出現させ、ステップＳ１３６でユーザネーム入力枠１０１にユーザネームが、パスワード入力枠１０２にパスワードが入力された後、制御機能部３８は伝送装置にコネクトコマンドを送出する。このとき、クロスコネクトのクロスコネクト情報と共に、上記ユーザネーム及びパスワードをデータベース４０に登録する。
図２６は、図２４の表示でディスコネクトボタン８１を選択したとき網管理端末が実行する処理の一実施例のフローチャートを示す。同図中、ステップＳ１４０でディスコネクトボタン８１をクリックすると、制御機能部３８はステップＳ１４１で指定された信号ポートにクロスコネクトが接続されているか否かを判別する。この判別はデータベース４０に登録されているクロスコネクト情報を検索して行う。クロスコネクトが接続されていなければステップＳ１４２でＧＵＩ機能部４２に選択不可のポートであることをディスプレイ表示させる。
クロスコネクトが接続されていれば、ステップＳ１４３で選択可能なポートであることを例えば色を異ならせてディスプレイ表示させる。ステップＳ１４４で選択可能なポートを選択すると、ステップＳ１４５でパスワード機能部３６ｂはウインドウ１００を出現させ、ステップＳ１４６でユーザネーム入力枠１０１にユーザネームが、パスワード入力枠１０２にパスワードが入力された後、制御機能部３８は伝送装置にディスコネクトコマンドを送出する。このとき、データベース４０の更新も行う。
伝送装置ユーザＩＤがＦＵＪＩＴＵであるとき、信号ポート（１−１−１−２−１）と、信号ポート（３−１−１−２−１）とのクロスコネクトをユーザネーム＝ｎａｇａｈａｍａ、パスワード＝ＸＸＸＸＸＸで接続するコマンドは、例えば次のようになる。
ＥＮＴ−ＶＣ１２：ＦＵＪＩＴＳＵ：１−１−１−２−１，３−１−１−２−１：ＣＡＴＧ：：ｎａｇａｈａｍａ，ＸＸＸＸＸＸ；
このクロスコネクトの接続を解除するコマンドは、次のようになる。
ＤＬＴ−ＶＣ１２：ＦＵＪＩＴＳＵ：１−１−１−２−１，３−１−１−２−１：ＣＡＴＧ：：ｎａｇａｈａｍａ，ＸＸＸＸＸＸ；
また、接続確認のコマンド及びそのレスポンスは、例えば次のようになる。接続確認のコマンドにユーザネーム、パスワードは必要ない。
ＲＴＲＶ−ＣＲＳ−ＶＣ１２：ＦＵＪＩＴＳＵ：，：ＣＡＴＧ：：：；
”１−１−１−１−１，３−１−１−１−１：：ＵＳＥＲＮＡＭＥ＝ｎａｇａｈａｍａ；”
”１−１−１−２−３，３−１−１−２−３：：ＵＳＥＲＮＡＭＥ＝ｔａｎａｋａ；”
”１−１−１−３−１，３−１−１−３−１：：ＵＳＥＲＮＡＭＥ＝ｔａｎａｋａ；”
図２７は、パスワードを付加したクロスコネクト接続コマンド受信時に伝送装置が実行する処理の一実施例のフローチャートを示す。同図中、ステップＳ１５０でクロスコネクト接続コマンドを受信すると、制御機能部５８はステップＳ１５１でコマンドで指定された信号ポートにクロスコネクトが接続されているか否かを判別する。この判別はデータベース６０に登録されているクロスコネクト情報を検索して行う。クロスコネクトが接続されていればステップＳ１５２で否認メッセージを作成し、各種機能部５６及びレスポンス送出部５２を通して網管理端末にレスポンスとして返送する。
クロスコネクトが接続されていなければ、ステップＳ１５３でコマンドで指定された信号ポート間のクロスコネクトを指定されたパスワードで接続し、クロスコネクト及びパスワード情報をデータベース６０に登録すると共に、正常のメッセージを作成して網管理端末にレスポンスとして返送する。なお、パスワード情報をデータベース６０に登録する等のパスワードの管理はパスワード機能５６ｃが行う。
図２８は、パスワードを付加したクロスコネクト解除コマンド受信時に伝送装置が実行する処理の一実施例のフローチャートを示す。同図中、ステップＳ１６０で解除コマンドを受信すると、制御機能部５８はステップＳ１６１でコマンドで指定された信号ポートにクロスコネクトが接続されているか否かを判別する。この判別はデータベース６０に登録されているクロスコネクト情報を検索して行う。クロスコネクトが接続されていなければステップＳ１６２で否認メッセージを作成し、各種機能部５６及びレスポンス送出部５２を通して網管理端末にレスポンスとして返送する。
クロスコネクトが接続されていれば、パスワード機能５６ｃはステップＳ１６３でそのクロスコネクトのパスワードが、コマンドで指定されたパスワードと一致するか否かを判別する。クロスコネクトのパスワードはデータベース６０に登録されているパスワード情報を検索して行う。
上記条件が不一致のとき、パスワード機能５６ｃはステップＳ１６４で否認メッセージを作成し、各種機能部５６及びレスポンス送出部５２を通して網管理端末にレスポンスとして返送する。一致のときはパスワード機能５６ｃはステップＳ１６５でコマンドで指定されたクロスコネクトを解除し、その情報をデータベース６０に登録すると共に、正常のメッセージを作成して網管理端末にレスポンスとして返送する。
このように、クロスコネクトの接続／解除を行うコマンドにユーザネームとパスワードを持たせることにより、実際の運用と並行して、伝送装置の動作チェックや通信エラーチェック等の試験を行う場合、実際の運用で接続されているクロスコネクトの接続／解除を行うときのパスワードと、試験のために被試験伝送装置のクロスコネクトの接続／解除を行うときのパスワードとを異ならせることにより、試験時に実際に運用されている信号を誤って切断してしまうことを防止できる。なお、図１８に示すようにキーワードはクロスコネクトと共に表示されるが、図２４に示すようにパスワードはクロスコネクトと共に表示されず、不正使用を防止できる。
図２９は、網管理端末のＧＵＩ機能部４２が行うディスプレイ表示の第５実施例を示す。同図中、図１２と同一部分には同一符号を付し、その説明を省略する。図２９においては、コメントを入力するためのウインドウ１１０が表示されている。
接続されているクロスコネクト（ボックス７０ｄ，７２ｄ間）を結ぶ実線をクリックするとウインドウ１１０が表示され、ウインドウ１１０内にこのクロスコネクトに付加されているコメントが表示される。
また、クロスコネクトを接続する際には、例えばボックス７０ｅ，７２ｅをクリックすると、その間のクロスコネクトが選択され、これが破線で表示されると共に、ウインドウ１１０が表示される。
この状態で、ウインドウ１１０内にコメントを入力し、コネクトボタン８０をクリックすると、網管理端末２０ｂのコメント機能部３６ｄはこのコメントをデータベース４０に登録し、制御機能部３８はコメントを付加したクロスコネクトコマンドを伝送装置２０ｂに送出し、伝送装置２０ｂでボックス７０ｅのＶＣ１２信号ポート（１−１−１−２−２）とボックス７２ｅのＶＣ１２信号ポート（３−１−１−２−２）とのクロスコネクトの接続が実行される。
伝送装置でコメントが付加されたクロスコネクト接続コマンドを受信されると、コメント機能５６ｄはコマンド内のコメントをデータベース６０に登録する。そして、接続確認のコマンドを受信すると、コメント機能５６ｄはデータベース６０からクロスコネクト情報と共にコメントを読み出し、接続確認を行った網管理端末に返送する。
接続確認のコマンド及びそのレスポンスは、例えば次のようになる。
ＲＴＲＶ−ＣＲＳ−ＶＣ１２：ＦＵＪＩＴＳＵ：，：ＣＡＴＧ：：：；
”１−１−１−１−１，３−１−１−１−１：：￥ＦＬＥＸＲ　ＰＬＵＳ　９９−０６−０２￥；”
”１−１−１−２−１，３−１−１−２−１：：￥ＦＬＥＸＲ−ＮＭ　９９−０６−０２￥；”
”１−１−１−３−１，３−１−１−３−１：：￥ＦＬＥＸＲ−ＥＭ　９９−０６−０８￥；”
このように、クロスコネクトの接続／解除を行うコマンドにコメントを持たせることにより、実際の運用と並行して、伝送装置の動作チェックや通信エラーチェック等の試験を行う場合、実際の運用で接続されているクロスコネクトのコメントを考慮して、試験のために被試験伝送装置のクロスコネクトの接続／解除を行い、かつ、試験のため接続したクロスコネクトに特定のコメントを付けておくことにより、試験時に実際に運用されている信号を誤って切断してしまうことを防止でき、試験後、試験のため接続したクロスコネクトをもれなく解除することができる。
【図面の簡単な説明】
本発明の他の目的、特徴及び利点は添付の図面を参照しながら以下の詳細な説明を読むことにより一層明瞭となるであろう。
図１は、ＮＭＳを説明するためのシステム構成図である。
図２は、ＮＭＳを有するネットワークの一例のシステム構成図である。
図３は、本発明方法を適用した網管理端末の一実施例の機能ブロック図である。
図４は、本発明方法を適用した伝送装置の一実施例の機能ブロック図である。
図５は、網管理端末のＧＵＩ機能部４２が行うディスプレイ表示の第１実施例を示す図である。
図６は、クロスコネクトをロックするとき網管理端末が実行する処理の一実施例のフローチャートである。
図７は、アンロックするとき網管理端末が実行する処理の一実施例のフローチャートである。
図８は、ロックコマンド受信時に伝送装置が実行する処理の一実施例のフローチャートである。
図９は、アンロックコマンド受信時に伝送装置が実行する処理の一実施例のフローチャートである。
図１０は、ＮＭＳを有するネットワークの第１実施例のシステム構成図である。
図１１は、網管理端末ユーザＩＤを入力するためのウインドウを示す図である。
図１２は、網管理端末のＧＵＩ機能部４２が行うディスプレイ表示の第２実施例を示す図である。
図１３は、図１２の表示でコネクトボタン８０を選択したとき網管理端末が実行する処理の一実施例のフローチャートである。
図１４は、図１２の表示でディスコネクトボタン８１を選択したとき網管理端末が実行する処理の一実施例のフローチャートである。
図１５は、クロスコネクト接続コマンド受信時に伝送装置が実行する処理の一実施例のフローチャートである。
図１６は、クロスコネクト解除コマンド受信時に伝送装置が実行する処理の一実施例のフローチャートである。
図１７は、ＮＭＳを有するネットワークの第２実施例のシステム構成図を示す図である。
図１８は、網管理端末のＧＵＩ機能部４２が行うディスプレイ表示の第３実施例を示すである。
図１９は、図１８の表示でコネクトボタン８０を選択したとき網管理端末が実行する処理の一実施例のフローチャートである。
図２０は、図１８の表示でディスコネクトボタン８１を選択したとき網管理端末が実行する処理の一実施例のフローチャートである。
図２１は、キーワードを付加したクロスコネクト接続コマンド受信時に伝送装置が実行する処理の一実施例のフローチャートである。
図２２は、キーワードを付加したクロスコネクト解除コマンド受信時に伝送装置が実行する処理の一実施例のフローチャートである。
図２３は、ＮＭＳを有するネットワークの第３実施例のシステム構成図である。
図２４は、網管理端末のＧＵＩ機能部４２が行うディスプレイ表示の第４実施例を示す図である。
図２５は、図２４の表示でコネクトボタン８０を選択したとき網管理端末が実行する処理の一実施例のフローチャートである。
図２６は、図２４の表示でディスコネクトボタン８１を選択したとき網管理端末が実行する処理の一実施例のフローチャートである。
図２７は、パスワードを付加したクロスコネクト接続コマンド受信時に伝送装置が実行する処理の一実施例のフローチャートである。
図２８は、パスワードを付加したクロスコネクト解除コマンド受信時に伝送装置が実行する処理の一実施例のフローチャートである。
図２９は、網管理端末のＧＵＩ機能部４２が行うディスプレイ表示の第５実施例を示す図である。
図３０は、ＮＭＳを有するネットワークの他の例のシステム構成図である。
【図１】
2001091373.tif 000003
【図２】
2001091373.tif 000004
【図３】
2001091373.tif 000005
【図４】
2001091373.tif 000006
【図５】
2001091373.tif 000007
【図６】
2001091373.tif 000008
【図７】
2001091373.tif 000009
【図８】
2001091373.tif 000010
【図９】
2001091373.tif 000011
【図１０】
2001091373.tif 000012
【図１１】
2001091373.tif 000013
【図１２】
2001091373.tif 000014
【図１３】
2001091373.tif 000015
【図１４】
2001091373.tif 000016
【図１５】
2001091373.tif 000017
【図１６】
2001091373.tif 000018
【図１７】
2001091373.tif 000019
【図１８】
2001091373.tif 000020
【図１９】
2001091373.tif 000021
【図２０】
2001091373.tif 000022
【図２１】
2001091373.tif 000023
【図２２】
2001091373.tif 000024
【図２３】
2001091373.tif 000025
【図２４】
2001091373.tif 000026
【図２５】
2001091373.tif 000027
【図２６】
2001091373.tif 000028
【図２７】
2001091373.tif 000029
【図２８】
2001091373.tif 000030
【図２９】
2001091373.tif 000031
【図３０】
2001091373.tif 000032
【国際調査報告】
2001091373.tif 000033
2001091373.tif 000034